(57)【特許請求の範囲】
【請求項１】
複数の映像／音声信号のうち何れか１つの映像／音声信号を選択して赤外線により送信する送信装置と、送信された１つの映像／音声信号を受信して表示させる受信装置とからなる送受信システムにおける送信装置において、
複数の映像／音声信号源からの信号を入力する入力手段と、
前記入力手段に入力された前記複数の映像／音声信号源のなかから１つの映像／音声信号源を選択し、該選択された映像／音声信号源からの映像／音声信号と前記映像／音声信号源を示す内容の情報信号とを出力する選択手段と、
前記選択手段から出力された前記映像／音声信号に前記情報信号を重畳する情報信号重畳手段と、
前記情報信号が重畳された映像／音声信号を変調し赤外線信号として送信する送信手段と
を有することを特徴とする送信装置。
【請求項２】
複数の映像／音声信号のうち何れか１つの映像／音声信号を選択して赤外線により送信する送信装置と、送信された１つの映像／音声信号を受信して表示させる受信装置とからなる送受信システムにおける受信装置において、
映像／音声信号源を示す内容の情報信号が重畳された前記映像／音声信号源からの映像／音声信号を変調した赤外線信号を受信し、受信した前記赤外線信号を復調して前記情報信号が重畳された映像／音声信号として出力する受信手段と、
前記受信手段より出力された前記映像／音声信号を映像／音声出力処理を行い映像／音声出力端子に出力する映像／音声出力手段と、
前記映像／音声信号から前記情報信号を抽出し、情報信号表示手段に出力する情報信号抽出手段と、
表示手段を有し、
前記映像／音声出力手段は前記受信手段より出力された前記映像／音声信号を映像／音声出力処理を行い前記表示手段に出力し、前記情報信号抽出手段は前記映像／音声信号から前記情報信号を抽出し前記表示手段に出力すること
を特徴とする受信装置。
【請求項３】
複数の映像／音声信号のうち何れか１つの映像／音声信号を選択して赤外線により送信する送信装置と、送信された１つの映像／音声信号を受信して表示させる受信装置とからなる送受信システムにおける送信装置において、
複数の映像／音声信号源からの信号を入力する入力手段と、
前記入力手段に入力された前記複数の映像／音声信号源のなかから１つの映像／音声信号源を選択し、該選択された映像／音声信号源からの映像／音声信号と前記映像／音声信号源を示す内容の情報信号とを出力する選択手段と、
前記選択手段より出力された前記映像／音声信号を変調し、変調映像／音声信号として出力する映像／音声信号変調手段と、
前記選択手段より出力された前記情報信号を変調し、前記映像／音声信号の変調信号の伝送帯域とは異なる伝送帯域を有する変調情報信号として出力する情報信号変調手段と、
前記変調映像／音声信号と前記変調情報信号とを周波数多重し、多重化信号として出力する多重化手段と、
前記多重化手段より出力された多重化信号を赤外線信号として送信する送信手段と
を有することを特徴とする送信装置。
【請求項４】
複数の映像／音声信号のうち何れか１つの映像／音声信号を選択して赤外線により送信する送信装置と、送信された１つの映像／音声信号を受信して表示させる受信装置とからなる送受信システムにおける受信装置において、
映像／音声信号源を示す内容の情報信号が変調された変調情報信号と前記映像／音声信号源からの映像／音声信号が前記変調情報信号とは異なる伝送帯域で変調された変調映像／音声信号とが周波数多重された多重化信号に基く赤外線信号を受信し、多重化信号として出力する受信手段と、
前記受信手段より出力された前記多重化信号から前記変調映像／音声信号を周波数弁別し、該変調映像／音声信号を復調して映像／音声信号として出力する映像／音声信号復調手段と、
前記受信手段より出力された前記多重化信号から前記変調情報信号を周波数弁別し、該変調情報信号を復調して情報信号として出力する情報信号復調手段と、
前記映像／音声信号復調手段より出力された前記映像／音声信号を映像／音声出力処理を行い表示手段及び音声出力手段にそれぞれ出力する映像／音声出力手段と、
前記情報信号復調手段より出力された前記情報信号は前記映像／音声信号出力手段にて前記映像／音声信号に重畳され前記表示手段に出力されるようになされたこと
を特徴とする受信装置。
【発明の詳細な説明】
【技術分野】
【０００１】
本発明は送信装置及び受信装置に関わり、特に赤外線によりＡＶ機器等の映像信号及び音声信号を伝送可能な送信装置及び受信装置に適用して好適なものとされる。
【背景技術】
【０００２】
近年、ワイヤレス伝送として、赤外線信号によってＡＶ機器等の映像／音声信号を伝送することが提案されている。このような赤外線伝送方式としては、例えば日本電子機械工業会規格（ＥＩＡＪ  ＣＰＸ−１２０６）が定められている。
図７は、上記のような赤外線信号による映像／音声信号の伝送を実現するための一般的な送信装置及び受信装置の構成例を示すブロック図である。
【０００３】
図７（ａ）には送信装置１００が示されている。この送信装置１００には、１組のＡＶ入力端子ＴINが備えられている。このＡＶ入力端子ＴINに対して、例えば、ＡＶ機器Ｋ1 から出力される映像信号と音声信号がケーブル等で接続されるようにして供給される。
【０００４】
ＡＶ入力端子ＴINに供給された映像信号は映像信号変調回路１０１に供給されて、ここで必要であれば所要の信号処理が施されると共に、所定の副搬送波周波数（キャリア）に対して変調を行い、変調映像信号としてバンドパスフィルタ１０２に供給される。バンドパスフィルタ１０２では変調映像信号について、副搬送波周波数に対応した周波数帯域を有するように濾波を行って多重回路１０５に供給する。
また、ＡＶ入力端子ＴINに供給された音声信号は音声信号変調回路１０３に供給されて、ここで、所定の副搬送波周波数（映像信号系とは異なる副搬送波周波数が設定される）に対する変調を施すことにより、変調音声信号としてバンドパスフィルタ１０４に供給される。バンドパスフィルタ１０４では変調音声信号について、上記音声信号系の副搬送波周波数に対応した周波数帯域を有するように濾波を行い、多重回路１０５に供給する。
【０００５】
多重回路１０５においては、バンドパスフィルタ１０２及び１０４から供給された変調映像信号及び変調音声信号について多重化を行って送信回路１０６に供給する。
送信回路１０６は赤外発光ＬＥＤを備えて構成されており、入力された映像／音声の多重変調信号について輝度変調（赤外線伝送では赤外線波長の周波数自体を主搬送波として見做す）を施して、赤外発光ＬＥＤから赤外線による光信号として送信出力する。
【０００６】
図７（ｂ）には、上記図７（ａ）に示した送信装置１００から送信された赤外線信号を受信／復調可能に構成された受信装置２００が示されている。
送信装置１００から送信された赤外線信号（映像／音声）は、この受信装置２００の受信部２０１に備えられた受光素子により受光されて電気信号に変換される。
受信部２０１で受信された受信信号は、バンドパスフィルタ２０２及び２０５に分岐して供給される。バンドパスフィルタ２０２は、例えば送信装置１００のバンドパスフィルタ１０２に対応する通過帯域特性を有しており、これにより、バンドパスフィルタ２０２を通過した信号としては、変調映像信号成分が抽出される。また、バンドパスフィルタ２０５は送信装置１００のバンドパスフィルタ１０２に対応する通過帯域特性を有しているものとされて、バンドパスフィルタ２０５からは、変調音声信号成分が抽出されることになる。
【０００７】
バンドパスフィルタ２０２を通過した変調映像信号成分は、映像信号復調回路２０３に供給されて映像信号伝送系の副搬送波周波数に対応する復調処理が施される。ここでの復調処理により副搬送波周波数成分が除去された映像信号は、映像出力回路２０４を介することにより、増幅等の所要の映像出力に関する処理が施されてＡＶ出力端子に供給される。
【０００８】
また、バンドパスフィルタ２０５を通過した変調音声信号成分は、音声信号復調回路２０６において、音声信号伝送系の副搬送波周波数に対応した復調処理が施され、更に音声出力回路２０７を介して、音声信号としてＡＶ出力端子ＴOUT に供給される。
【０００９】
この場合には、モニタ装置Ｍに対してＡＶ出力端子ＴOUT が接続されており、モニタ装置Ｍにおいては、ＡＶ機器Ｋ1 の映像が表示されると共に、音声が出力される。
このようにして、図７（ａ）（ｂ）に示すような赤外線送信装置及び赤外線受信装置を備えることにより、例えばＡＶ機器等の映像／音声ソースをワイヤレスにより伝送して、モニタ装置等に表示・出力させることが可能となる。
【発明の開示】
【発明が解決しようとする課題】
【００１０】
ところで、図７に示すような構成の赤外線送受信システムの場合、送信装置１００側のＡＶ入力端子ＴINは１系統しか設けられておらず、また、送信装置１００側における後段の各機能ブロック、及び受信装置２００側の構成も１系統の映像／音声ソースのみに対応する構成を採っている。
【００１１】
このため、例えば図７に示したＡＶ機器Ｋ1 以外のＡＶ機器として、図７（ａ）に示すＡＶ機器Ｋ2 の映像／音声をモニタ装置Ｍにて表示／出力させるためには、一旦、送信装置１００に接続されているＡＶ機器Ｋ1 を外して、代わりにＡＶ機器Ｋ2 の映像／音声信号出力端子を送信装置のＡＶ入力端子ＴINに接続するといった作業を行う必要がある。
【００１２】
例えば、１つのモニタ装置に対して既に接続されている複数の映像／音声ソースの入力系を切換えながら視聴するといったことは、現状のＡＶシステムでは一般に行われていることであり、赤外線送信装置及び受信装置を備えたＡＶシステム等を考慮した場合にも、このような複数の映像／音声ソースの入力切換えが実現されることが当然のこととして好ましい。
また、ユーザの使い勝手を考えた場合には、赤外線送信装置及び受信装置を備えたＡＶシステムにおいても、複数の映像／音声ソースの入力の切換えに際して、例えば受信側若しくはモニタ装置等に於いて入力ソースの切換え状態を示す表示等が行われることが好ましい。
【課題を解決するための手段】
【００１３】
そこで、本発明は上記した問題点を考慮して、複数の信号源を入力する入力手段と、これら複数の信号源を択一的に選択して出力する選択手段と、この選択手段にて選択された信号源を赤外線信号として送信することのできる送信手段とを備えて送信装置を構成することとした。
そして、上記選択手段により選択された信号源を示す内容の情報信号を入力源の信号と共に送信させるための情報信号付加手段を設けることした。
【００１４】
本発明は、複数の映像／音声信号のうち何れか１つの映像／音声信号を選択して赤外線により送信する送信装置と、送信された１つの映像／音声信号を受信して表示させる受信装置とからなる送受信システムにおける送信装置、又は受信装置であって、
本発明の送信装置は、複数の映像／音声信号源からの信号を入力する入力手段と、前記入力手段に入力された前記複数の映像／音声信号源のなかから１つの映像／音声信号源を選択し、該選択された映像／音声信号源からの映像／音声信号と前記映像／音声信号源を示す内容の情報信号とを出力する選択手段と、前記選択手段から出力された前記映像／音声信号に前記情報信号を重畳する情報信号重畳手段と、前記情報信号が重畳された映像／音声信号を変調し赤外線信号として送信する送信手段とを有する。
また、本発明の受信装置は、映像／音声信号源を示す内容の情報信号が重畳された前記映像／音声信号源からの映像／音声信号を変調した赤外線信号を受信し、受信した前記赤外線信号を復調して前記情報信号が重畳された映像／音声信号として出力する受信手段と、前記受信手段より出力された前記映像／音声信号を映像／音声出力処理を行い映像／音声出力端子に出力する映像／音声出力手段と、前記映像／音声信号から前記情報信号を抽出し、情報信号表示手段に出力する情報信号抽出手段と、表示手段を有し、前記映像／音声出力手段は前記受信手段より出力された前記映像／音声信号を映像／音声出力処理を行い前記表示手段に出力し、前記情報信号抽出手段は前記映像／音声信号から前記情報信号を抽出し前記表示手段に出力する。
【００１５】
上記構成によれば、例えば、信号源を各種ＡＶ機器などの映像／音声信号とすれば、送信装置側に接続された複数組の映像／音声信号のうち何れか１組の映像／音声信号を選択手段により選択して赤外線により送信する送信装置が得られる。そして受信装置側ではこれを受信してモニタ装置等に表示させることになる。  また、上記選択手段により選択された映像／音声信号を示す情報信号を入力源の送信信号に付加して送信させるための情報信号付加手段を送信装置側に設け、受信装置側では受信信号から情報信号を抽出して得ることにより、現在選択されている映像／音声信号がどの入力端子に対応するものであるかを示す表示を行うことが可能になる。
【発明の効果】
【００１６】
以上説明したように本発明は、赤外線送信装置側において、複数の送信信号源を接続可能な入力端子群を設け、これら入力端子群のなかから択一的に選択した入力端子に接続されている送信信号源を送信するようにしたことで、例えば送信信号源となる機器を交換して接続するような作業を行うことなく、単なるキー・スイッチの操作等によって簡易に送信信号源を選択して送信することができることになる。
そして、例えば本発明に基づく赤外線伝送システムをＡＶシステムに利用した場合には、送信装置に接続された複数のＡＶ機器から所望のＡＶ機器を選択してその映像／音声信号をワイヤレスにより送信し、受信装置により受信した映像／音声信号に基づいてモニタ装置に表示出力及び音声出力させるといったＡＶシステムを構築することが可能となる。
このようなＡＶシステムでは、モニタ装置と送信装置間のケーブルが不要となり、また、モニタ装置にＡＶ機器を接続するためのケーブルも不要となるため、ユーザのＡＶシステムの使用形態によっては、例えば室内の美観等を損なわないために非常に快適なＡＶ環境が得られる。
【００１７】
また、送信装置側の入力端子の切換情報を情報信号として映像／音声信号と共に送信することで、受信装置側では受信した情報信号に基づいて現在送信装置側で選択されている入力端子を示すように表示することが可能となり、ユーザにとってはより使い勝手のよい赤外線伝送システムを得ることが可能となる。
【発明を実施するための最良の形態】
【００１８】
先ず、本発明の実施の形態としての送信装置及び受信装置を備えて構築することのできるＡＶシステムの構成例について、図６を参照して説明する。
この図に示す本実施の形態としての送信装置（１、１Ａ、１Ｂ）には、実際には所定数のｎ対の映像／音声入力端子（ＡＶ入力端子）が設けられており、図のように最大ｎ台のＡＶ機器Ｋ1 Ｋ2 ・・・Ｋn を接続することができる。なお、ここで接続可能なＡＶ機器としては、映像信号と音声信号の少なくとも何れかが出力可能な機器であればよく、例えばＶＴＲ（カムコーダを含む）やビデオディスクプレーヤをはじめ、ゲーム機等の接続も当然考えられる。
送信装置（１、１Ａ、１Ｂ）では、例えば、図示しないがこれらｎ対のＡＶ入力端子について選択を行うことのできる切換え操作部が設けられており、ユーザの操作によって所望のＡＶ入力端子を選択することができる。そして、送信装置（１、１Ａ、１Ｂ）からは、選択されたＡＶ入力端子に接続されているＡＶ機器の映像／音声信号を赤外線により送信出力する。
【００１９】
上記送信装置（１、１Ａ、１Ｂ）から送信された赤外線信号は、受信装置２０において受信されて、例えばアナログ映像信号及び音声信号に復調されて出力される。この場合には、映像信号及び音声信号出力はモニタ装置５０に供給されており、これによりモニタ装置５０では送信装置（１、１Ａ、１Ｂ）で選択されて送信されたＡＶ機器の画像／音声が表示／出力されることになる。なお、モニタ装置５０には、モニタ装置を操作するためのリモートコントローラ（以下リモコンと略す）から送信される赤外線を受信するためのリモコン受信部５０ａが設けられている。
また、本実施の形態の受信装置２０としては、後述するように、送信装置側のＡＶ入力端子の切換え状態を示す表示回路３１が設けられる。更に、本実施の形態として受信装置２０をモニタ装置５０に内蔵した受信装置内蔵モニタ５０Ａ、５０Ｂとされる場合もあるが、これらの実施形態については以降において順次説明を行っていく。
【００２０】
これまでの既存のＡＶシステムの一般的な形態としては、例えばモニタ装置に対してユーザの必要な各種ＡＶ機器を接続したうえで、モニタ装置の入力切換えを操作することにより所望のＡＶ機器を選択して、選択したＡＶ機器の映像／音声をモニタ装置により表示／出力させて視聴していた。
ところで、近年においては例えば壁掛型としても利用可能な程度の奥行を求めて、薄型のモニタ装置やテレビジョン受像機が開発、提案されてきている。そして、このような薄型のモニタ装置やテレビジョン受像機が普及したような状況を考えると、これまでの既存のＡＶシステムのように、モニタ装置に多くのＡＶ機器のケーブルを接続するというシステムの構成はかえって不合理なものとなる。  つまり、薄型のモニタ装置を壁に掛けるような形態で使用していた場合に、複数のＡＶ機器のケーブルをモニタに接続しようとすると、必然的に壁に多くのケーブルがぶら下がって見えるような状態となり、室内環境の美観を損なうことになる。
そこで、本実施の形態の送信装置及び受信装置を備えたＡＶシステムを利用すれば、モニタ装置に対してＡＶ機器のケーブルを接続する必要はなくなり、モニタ装置が薄型とされたこととも併せて、すっきりした室内環境を得ることができる。
なお、これまでの既存のＡＶシステムに本実施の形態の送信装置及び受信装置を備えたＡＶシステムを利用することも当然可能であり、この場合にも、例えばモニタ装置の背面の煩雑な接続を行う必要はなくなると共に、送信装置（１、１Ａ、１Ｂ）と受信装置２０の位置関係を良好に確保しておけば、モニタ装置と各種ＡＶ機器の設置位置も従来と比較して自由度の高いものとなる。
特に、ゲーム機等の使用に際しては、これまでのようにモニタ装置とユーザ自身の近傍に置かれるゲーム機間にケーブルをはわせる必要がなくなって、室内環境も快適になると共にゲーム機の設置位置の自由度もこれまで以上に高くなる。
【００２１】
図１は、本発明の第１の実施の形態としての送信装置の構成を示すブロック図であり、上述した図６のＡＶシステムの送信装置１として備えられるものである。
この図１に示す送信装置１においては、予め設定された所定数のｎ個のＡＶ入力端子Ｔ1 〜Ｔn が設けられる。各ＡＶ入力端子は、１対の映像信号入力端子と音声信号入力端子を備えているものとされる。なお、音声信号入力端子は実際にはＬ，Ｒチャンネルのステレオ音声を入力可能な構成とされているが、説明の便宜上、音声信号系についてはＬ，Ｒチャンネルの２系統を１系統にまとめて示している。
これらＡＶ入力端子Ｔ1 〜Ｔn を備えることで、本実施の形態の送信装置１は、図のように信号源として、ＡＶ機器Ｋ1 〜Ｋn までの最大ｎ台の機器の映像／音声信号をケーブルにより接続することができる。
【００２２】
ＡＶ入力端子Ｔ1 〜Ｔn の各映像／音声信号のラインは、切換え回路２に接続される。切換え回路２は、例えばユーザの切換え操作等に応じて、ＡＶ入力端子Ｔ1 〜Ｔn の映像／音声信号のうち、何れか１つの映像／音声信号を選択する。切換え回路２で選択された１対の映像／音声信号のうち、映像信号は映像信号変調回路３に供給され、音声信号は音声信号変調回路５に供給される。
【００２３】
映像信号変調回路３では、入力された映像信号により予め規定された所定の副搬送波周波数に対して変調を施して変調映像信号を生成する。この変調映像信号はバンドパスフィルタ４に供給されて映像信号成分の副搬送波周波数に対応する伝送帯域を有するようにされて多重回路７に供給される。
【００２４】
また、音声信号変調回路５に入力された音声信号は、上記映像信号とは異なる所定の副搬送波周波数に対して変調を施し、更にバンドパスフィルタ６を通過することにより、変調音声信号の副搬送波周波数に対応する帯域を有するようにされて多重回路７に供給される。
【００２５】
多重回路７では、上記変調映像信号と変調音声信号を周波数多重して送信回路８に供給する。送信回路８は赤外発光ＬＥＤを備えて構成されている。送信回路８では入力された映像／音声の多重変調信号について、赤外発光ＬＥＤにより赤外線の光信号として送信出力することになる。
【００２６】
このような構成によって、本実施の形態の送信装置１では複数接続されたＡＶ機器のうちから選択された１つのＡＶ機器の映像／音声信号を赤外線送信することが可能となる。そして受信装置側では、送信されてくる映像／音声信号の各副搬送波周波数に対応する復調処理を行う構成を採る（例えば、先に図７（ｂ）に示した受信装置２００の構成でよいものとされる）ことで、例えばモニタ装置５０において選択されたＡＶ機器の映像表示及び音声出力が行われる。
【００２７】
図２は、本発明の第２の実施の形態としての送信装置の構成を示すものであり、図６のＡＶシステムの送信装置１Ａとして備えられるものである。なお、図２において図１と同一部分は同一符号を付して説明を省略する。
【００２８】
図２に示す送信装置１Ａにおいては、図１に示した送信回路の構成に対して情報信号生成回路１０及びタイミング発生回路１１、及び合成器１２が設けられている。合成器１２は切換回路２から出力された映像信号に対して、情報信号生成回路１０から出力される切換情報信号Ｓ2 を合成して映像信号変調回路３に出力するように設けられている。
情報信号生成回路１０には、切換回路２より選択信号Ｓ1 が入力される。選択信号Ｓ1 は、切換回路２において現在ＡＶ入力端子Ｔ1 〜Ｔn のうち、何れのＡＶ入力端子を選択しているかを示す信号である。情報信号生成回路１０では入力された選択信号Ｓ1 について、例えば後述するように映像信号に重畳するのに適合する切換情報信号Ｓ2 に変換して合成器１２に供給する。
この情報信号生成回路１０からの切換情報信号Ｓ2 の出力タイミングは、タイミング発生回路１１により決定され、本実施の形態では結果的に、切換情報信号Ｓ2 を映像信号の垂直帰線期間内の所定の水平ラインに対して挿入するように構成される。
【００２９】
タイミング発生回路１１には、切換回路２から選択出力された映像信号が分岐して供給される。そして、入力された映像信号の水平／垂直同期信号成分に基づいて上記切換情報信号Ｓ2 を映像信号に挿入すべきとされるタイミングに対応して、情報信号生成回路１０に対して信号出力指示信号を出力する。
情報信号生成回路１０では、上記信号出力指示信号に応じて切換情報信号Ｓ2 を合成器１２に出力する。これにより、切換回路２から出力された映像信号の垂直帰線期間内の所定の水平ラインに対して、切換情報信号Ｓ2 が重畳されることになる。
【００３０】
このような構成により、本実施の形態の送信装置１Ａでは、複数接続されたＡＶ機器のうちから選択された１つのＡＶ機器の映像／音声信号を選択すると共に、切換回路２の選択状態を示す切換情報信号Ｓ2 を映像信号成分に重畳して赤外線送信することが可能となる。
【００３１】
図３は、上記図２にて説明した送信装置１Ａに対応して受信動作を行うことのできる受信装置２０の構成を示すブロック図である。
送信装置１Ａから送信された赤外線信号は、この図に示す受信装置２０の受信部２１に備えられた受光素子により受光されて電気信号に変換される。受信部２１で受信された信号には変調映像信号成分と変調音声信号成分が多重化されていると共に、映像信号成分に対しては切換情報信号Ｓ2 が重畳されている。
【００３２】
受信部２１で受信された受信信号は、バンドパスフィルタ２２及び２５に分岐して供給される。バンドパスフィルタ２２は、例えば送信装置１Ａのバンドパスフィルタ４に対応する通過帯域特性を有しており、バンドパスフィルタ２２を通過することによって、変調映像信号成分が抽出される。また、バンドパスフィルタ２５は送信装置１Ａ０のバンドパスフィルタ６に対応する通過帯域特性を有しているものとされて、バンドパスフィルタ２５からは、変調音声信号成分が抽出されることになる。
【００３３】
バンドパスフィルタ２２を通過した変調映像信号成分は、映像信号復調回路２３に供給されて映像信号伝送系の副搬送波周波数に対応する復調処理が施される。つまり、副搬送波成分が除去されて元の映像信号成分が抽出される。映像信号復調回路２３で得られた映像信号は、映像出力回路２４及び情報信号抽出回路２９に分岐して供給される。
映像出力回路２４に入力された復調映像信号は、ここで増幅等の所要の映像出力に関する処理が施されてＡＶ出力端子２８に供給される。情報信号抽出回路２９に供給された映像信号については後述する。
【００３４】
また、バンドパスフィルタ２５を通過した変調音声信号成分は、音声信号復調回路２６において音声信号伝送系の副搬送波周波数を除去するための処理等が施されて、元の音声信号に復調された後、音声出力回路２７を介してＡＶ出力端子２８に供給される。
【００３５】
この場合には、ＡＶ出力端子ＴOUT から出力された映像信号及び音声信号はモニタ装置５０に供給される。これにより、モニタ装置５０からは、送信装置１Ａ側の切換回路２にて選択されたＡＶ入力端子に接続されていたＡＶ機器の映像が表示され、音声はスピーカ等から出力される。
【００３６】
情報信号抽出回路２９に供給された復調映像信号は、切換情報信号Ｓ2 を抽出するために利用される。前述のように切換情報信号Ｓ2 は映像信号の垂直帰線期間内の所定位置に挿入されているが、情報信号抽出回路２９は供給された映像信号から切換情報信号Ｓ2 を抽出する。
抽出された切換情報信号Ｓ2 は、情報信号復調回路３０に供給され、ここで所要の復調処理が施されると共に、その信号が示す内容（即ち、送信装置１Ａにおいて現在どのＡＶ入力端子が選択されているか）について解析が行われる。そして、情報信号復調回路３０は上記解析結果に基づいて表示回路３１の表示制御を行う。これにより、例えば表示回路３１では、送信装置１Ａにおいて現在どのＡＶ入力端子が選択されているかを示す表示が行われる。なお、その表示形態としては、例えばＬＥＤ、液晶表示などによるものなど各種考えられるため、ここでは特に限定しない。
【００３７】
また、図３の一点鎖線により括って示す構成として、本実施の形態の受信装置２０がモニタ装置５０に内蔵された、受信装置内蔵モニタ５０Ａとされる場合には、上記表示回路３１をモニタ装置５０の本体に設けるようにすることが考えられる。
【００３８】
図４は、本発明の第３の実施の形態としての送信装置の構成を示すものであり、この場合にも図６に示したＡＶシステムの送信装置１Ｂとして装備可能とされる。なお、図４において図１及び図２と同一部分は同一符号を付して説明を省略する。
【００３９】
図４に示す送信装置１Ｂにおいては、切換回路２から出力される選択信号Ｓ1 は情報信号変調回路１２に供給される。
情報信号変調回路１２では、例えば、映像信号変調回路３及び音声信号変調回路５にて用いられる副搬送波周波数以外の所定の副搬送波周波数が設定されて、選択信号Ｓ1 により変調される。選択信号Ｓ1 による変調信号はバンドパスフィルタ１３を通過することによって、赤外線伝送される映像信号及び音声信号とは異なる伝送帯域を有する切換情報信号Ｓ3 とされて、多重回路７に供給される。
【００４０】
この場合、多重回路７においてはそれぞれ異なる伝送帯域による変調信号である映像信号、音声信号及び切換情報信号Ｓ3 が周波数多重され、この多重化信号が送信回路８を介して赤外線信号として送信されることになる。
【００４１】
図５は、上記図４にて説明した送信装置１Ｂに対応して受信動作を行うことのできる受信装置の構成として、当該受信装置がモニタ装置５０（図６参照）に内蔵された受信装置内蔵モニタ５０Ｂとされている場合の要部の構成を示すブロック図である。なお、図５において図３と同一部分は同一符号を付して説明を省略する。
【００４２】
この場合、受信部２１で受信される信号としては、それぞれ異なる副搬送波周波数を変調した映像信号、音声信号及び切換情報信号Ｓ3 が多重化されたものである。
これら受信信号は、バンドパスフィルタ２２、２５、４２に分して供給されることにより、バンドパスフィルタ２２の通過信号としては変調映像信号成分が得られ、バンドパスフィルタ２５からは変調音声信号成分が得られ、バンドパスフィルタ４２からは情報信号による変調信号成分が得られることになる。バンドパスフィルタ４２の通過帯域特性としては、例えば図４のバンドパスフィルタ１３の通過帯域特性に対応する。
【００４３】
バンドパスフィルタ２２を通過した変調映像信号は、映像信号復調回路２３に供給されて復調処理が施されて、映像信号として出力される。同様に、バンドパスフィルタ２５を通過した変調音声信号は音声信号復調回路２６に供給されて復調処理が施されて音声信号として出力される。これら映像信号復調回路２３及び音声信号復調回路２６から出力された映像信号及び音声信号は、１組の映像／音声信号とされて、切換回路４０に入力される。
【００４４】
この図の場合、受信装置はモニタ装置に内蔵されているが、このモニタ装置５０の本体にも映像／音声信号を入力するためのＡＶ入力端子４１が設けられているものとされる。このＡＶ入力端子４１に接続された映像／音声信号は、切換回路４０に対して入力される。
つまり切換回路４０は、モニタ装置内蔵の受信装置により受信して得られる映像／音声ソースの信号系と、モニタ装置本体に備えられたＡＶ入力端子より供給される映像／音声ソースの信号系とを択一的に選択して、画像表示及び音声出力させるために設けられる。
なお、この図では、モニタ装置５０の本体に設けられるＡＶ入力端子として、ＡＶ入力端子４１のみが示されているが、実際には複数のＡＶ入力端子が設けられていても構わない。
【００４５】
上記切換回路４０の切換制御は、受信装置内蔵モニタ５０Ｂに関する各種制御動作を実行するシステムコントローラ４４により行われるものとされる。システムコントローラ４４は、例えば、リモコン用受信部５０ａで受信されたリモートコントローラの入力切換コマンドに基づいて、切換回路４０の切換制御を実行することができるようにされている。
【００４６】
切換回路４０にて選択された映像／音声信号は、それぞれ映像信号処理回路４６及び音声信号処理回路４７に出力される。映像信号処理回路４６は、入力された映像信号についてモニタ装置５０で表示するための所要の信号処理を施してモニタ装置５０に供給する。これにより切換回路４０にて選択された映像／音声ソースの映像がモニタ装置５０の管面に表示されることになる。
また、音声信号処理回路４７では、入力された音声信号について所要の信号処理を施してスピーカＳＰに出力して音声出力させる。なお、実際のＡＶシステムの構成としては、スピーカＳＰは内蔵であっても、外部スピーカであっても構わない。また、実際には音声信号処理回路４７を介した音声信号はヘッドフォン端子（図示しない）などにも供給される。
【００４７】
バンドパスフィルタ４２を通過した情報信号の変調信号成分は、情報信号復調回路４３に供給されて復調されて選択信号Ｓ1 として復調される。この選択信号Ｓ1 は、システムコントローラ４４に供給される。
システムコントローラ４４では、供給された選択信号Ｓ1 に基づいて、現在、送信装置１Ｂ側の切換回路２で選択されているＡＶ入力端子を判別する。そして、この判別情報に基づいて表示処理回路４５を制御する。
【００４８】
表示処理回路４５は、例えばキャラクタジェネレータ及びオンスクリーンディスプレイなどを備えて構成され、システムコントローラ４４の制御に基づいて所要のキャラクタデータを生成すると共に、この映像信号を所定タイミングで映像信号処理回路４６に供給し、切換回路４０側より供給された映像信号に重畳する。この場合には、送信装置１Ｂ側の切換回路２で選択されているＡＶ入力端子に実際に付されている名称（例えば「ビデオ入力１」など）に対応する文字表示等が行われるように動作することになる。
このようにして、表示処理回路４５から供給されたキャラクタ画像信号が映像信号処理回路４６にて重畳されてモニタ装置５０に供給されることで、モニタ装置５０の画面には、現在送信装置１Ｂ側の切換回路２で選択されているＡＶ入力端子を示す表示が、映像と共に表示されることになる。
なお、このような選択信号Ｓ1 に基づくＡＶ入力端子を示す表示は、受信装置内蔵モニタ５０Ｂの切換回路４０において、モニタ装置５０本体側のＡＶ入力端子４１が選択されている時には特に意味を為さないことから、切換回路４０が赤外線受信により得た映像／音声信号を選択している状態である時に行われるようにされてもよい。
【００４９】
また本実施の形態においては、情報信号を伝送するための副搬送波周波数を、既存のリモートコントローラによる伝送方式において規定されている副搬送波周波数と一致させることにより、少なくとも情報信号の受信／復調及び以降の処理について、モニタ装置５０が本来備えているリモコンのコマンド信号受信用の回路部の構成を共用することができる。
【００５０】
具体的に図５の構成に基づいた場合であれば、送信装置１Ｂ（図４に示す）からは受信装置内蔵モニタ５０Ｂのリモコン受信部５０ａにて受信可能な副搬送波周波数を情報信号により変調して送信する。また、送信時の情報信号の符号化方式も、既存のリモートコントローラによる伝送方式に則ったものとされればよい。
この場合、送信装置１Ｂから送信される送信信号のうち、映像／音声信号は受信部２１にて受信され、情報信号についてはリモコン用受信部５０ａにて受信されることになる。従って、この場合には図５に示すバンドパスフィルタ４２、情報信号復調回路４３は省略することができる。
リモコン用受信部５０ａにて受信された情報信号はシステムコントローラ４４に入力される。システムコントローラ４４では入力された情報信号について、例えばリモートコントローラの伝送方式に対応する符号化方式に基づいて復号化を行い、その内容について解析する。以降はシステムコントローラ４４が情報信号の内容に基づいて表示処理回路４５を制御することで、モニタ装置５０において現在送信装置側で選択されているＡＶ入力端子が何であるかを示す表示が行われることになる。
【００５１】
なお、本実施の形態として、上記のように情報信号の送受信についてリモートコントローラの送受信系を共用する構成は、受信装置とモニタ装置５０が別体とされている構成であっても応用することが可能であり、この場合にはモニタ装置５０が情報信号を受信し、受信した情報信号の内容に応じて表示を行うことができるように構成すればよい。
【００５２】
また、本発明は上記した実施の形態の構成のみに限定されるものではなく、細部においては実際の使用条件等に応じて各種変更が可能である。
【図面の簡単な説明】
【００５３】
【図１】本発明の第１の実施の形態の送信装置の構成を示すブロック図である。
【図２】第２の実施の形態としての送信装置の構成を示すブロック図である。
【図３】第２の実施の形態としての受信装置の構成を示すブロック図である
【図４】第３の実施の形態としての送信装置の構成を示すブロック図である。
【図５】第３の実施の形態としての受信装置を内蔵する、受信装置内蔵モニタの構成を示すブロック図である。
【図６】本実施の形態としての送信装置及び受信装置を備えて構成されるＡＶシステムの一例を示す図である。
【図７】従来例としての送信装置及び受信装置の構成を示すブロック図である。
【符号の説明】
【００５４】
１，１Ａ，１Ｂ  送信装置、２  切換回路、３  映像信号変調、４，６，１３，２２，２５，４２  バンドパスフィルタ、５  音声信号変調、７  多重回路、８  送信回路、１０  情報信号生成回路、１１  タイミング発生回路、１２  情報信号変調回路、２０  受信装置、２１  受信回路、２３  映像信号復調回路、２４  映像出力回路、２６  音声信号復調回路、２７  音声出力回路、２８  ＡＶ出力端子、２９  情報信号抽出回路  ３０、４３  情報信号復調回路、３１  表示回路、４４  システムコントローラ、４５  表示処理、５０  モニタ装置、５０ａ  ５０Ａ，５０Ｂ  受信装置内蔵モニタ、Ｔ1 〜Ｔn   ＡＶ入力端子、Ｋ1 〜Ｋn   ＡＶ機器、Ｓ1   選択信号、Ｓ2 、Ｓ3   切換情報信号
【図１】
0004046137.tif 000002
【図２】
0004046137.tif 000003
【図３】
0004046137.tif 000004
【図４】
0004046137.tif 000005
【図５】
0004046137.tif 000006
【図６】
0004046137.tif 000007
【図７】
0004046137.tif 000008